(57)【要約】　　　（修正有）【課題】地下空気中の揮発性汚染物質のみならず、その他の汚染物質についても、調査用ボーリング装置や気液分離装置などの特別な装置を必要とせずに調査可能な地下汚染調査装置を提供する。【解決手段】地表を覆うように地表面上に設置され、地表面上に外部の気圧より低圧の閉鎖空間を形成してこの閉鎖空間内に地中の気体と泥水を噴出させる気体採取容器１０と、この気体採取容器内に設けられ前記閉鎖空間に噴出し内部に流入した泥水を貯える泥水採取容器３０とを備える。【選択図】　　　図１
0003098956.tif 000002
【実用新案登録請求の範囲】
【請求項１】
地表を覆うように地表面上に設置され、地表面上に外部の気圧より低圧の閉鎖空間を形成してこの閉鎖空間内に地中の気体と泥水を噴出させる気体採取容器と、
この気体採取容器内に設けられ前記閉鎖空間に噴出し内部に流入した泥水を貯える泥水採取容器とを備えることを特徴とする地下汚染調査装置。
【請求項２】
地表を覆うように地表面上に設置され、地表面上に外部の気圧より低圧の閉鎖空間を形成してこの閉鎖空間内に地中の気体と泥水を噴出させる気体採取容器と、
この気体採取容器内に設けられ前記閉鎖空間に噴出し内部に流入した泥水を貯える泥水採取容器とを備え、
前記気体採取容器の内部と外部とを連通し気体採取容器外部側の減圧手段に連結される排気孔が形成されて、外気との圧力差が維持されていることを特徴とする地下汚染調査装置。
【請求項３】
地表を覆うように地表面上に設置され、地表面上に外部の気圧より低圧の閉鎖空間を形成してこの閉鎖空間内に地中の気体と泥水を噴出させる気体採取容器と、
この気体採取容器内に設けられ前記閉鎖空間に噴出し内部に流入した泥水を貯える泥水採取容器とを備え、
前記気体採取容器内に噴出した地中の気体を吸引して採取するガス吸引管が挿通可能なチューブ挿通管が気体採取容器の内部と外部とを貫通して設けられていることを特徴とする地下汚染調査装置。
【請求項４】
地表を覆うように地表面上に設置され、地表面上に外部の気圧より低圧の閉鎖空間を形成してこの閉鎖空間内に地中の気体と泥水を噴出させる気体採取容器と、
この気体採取容器内に設けられ前記閉鎖空間に噴出し内部に流入した泥水を貯える泥水採取容器とを備え、
前記気体採取容器の内部への外気の流入を防止するシール手段が気体採取容器に設けられていることを特徴とする地下汚染調査装置。
【請求項５】
地表を覆うように地表面上に設置され、地表面上に外部の気圧より低圧の閉鎖空間を形成してこの閉鎖空間内に地中の気体と泥水を噴出させる気体採取容器と、
この気体採取容器内に設けられ前記閉鎖空間に噴出し内部に流入した泥水を貯える泥水採取容器とを備え、
前記気体採取容器の内部への外気の流入を防止するシール手段が気体採取容器に設けられ、
このシール手段は、気体採取容器の開口部側の外周縁に取付けられた環状の弾性材であることを特徴とする地下汚染調査装置。
【請求項６】
地表を覆うように地表面上に設置され、地表面上に外部の気圧より低圧の閉鎖空間を形成してこの閉鎖空間内に地中の気体と泥水を噴出させる気体採取容器と、
この気体採取容器内に設けられ前記閉鎖空間に噴出し内部に流入した泥水を貯える泥水採取容器とを備え、
前記気体採取容器の内部への外気の流入を防止するシール手段が気体採取容器に設けられ、
前記シール手段は、気体採取容器の開口部側から地中に押しつけられた筒状のシール筒体であることを特徴とする地下汚染調査装置。
【請求項７】
地表を覆うように地表面上に設置され、地表面上に外部の気圧より低圧の閉鎖空間を形成してこの閉鎖空間内に地中の気体と泥水を噴出させる気体採取容器と、
この気体採取容器内に設けられ前記閉鎖空間に噴出し内部に流入した泥水を貯える泥水採取容器とを備え、
前記気体採取容器は、開口部を有し外気との圧力差を維持する外側容器と、この外側容器の内側に配置される内側容器と、前記気体採取容器の内部への外気の流入を防止するシール手段とを含んで成り、
前記気体採取容器内に噴出した地中の気体を吸引して採取するガス吸引管が挿通されるチューブ挿通管の先端部分が前記内側容器の内部に開口していることを特徴とする地下汚染調査装置。
【請求項８】
地表を覆うように地表面上に設置され、地表面上に外部の気圧より低圧の閉鎖空間を形成してこの閉鎖空間内に地中の気体と泥水を噴出させる気体採取容器と、
この気体採取容器内に設けられ前記閉鎖空間に噴出し内部に流入した泥水を貯える泥水採取容器と、
前記気体採取容器周囲の地表面に散液する散液手段とを備え、
前記気体採取容器は、開口部を有し外気との圧力差を維持する外側容器と、この外側容器の内側に配置される内側容器と、前記気体採取容器の内部への外気の流入を防止するシール手段とを含んで成り、
前記気体採取容器内に噴出した地中の気体を吸引して採取するガス吸引管が挿通されるチューブ挿通管の先端部分が前記内側容器の内部に開口していることを特徴とする地下汚染調査装置。
【考案の詳細な説明】
【０００１】
【考案の属する技術分野】
本考案はボーリングを行う必要のない地下汚染調査装置に係り、特に、表層の地質汚染調査における揮発性汚染物質の他、水や希酸、希アルカリ水溶液、アルコールなどの有機溶媒を含有する水溶液、及び混合水溶液等に溶解、溶出する汚染物質による地質汚染調査に用いる装置に関する。
【０００２】
【従来の技術】
従来より、一般的には汚染調査対象地質をボーリングした掘削孔を利用し、地下空気（揮発性汚染物質の調査）や地層土壌中の各種不揮発性汚染物質の調査を実施しているが、調査に多くの時間と経費を要することから、揮発性汚染物質調査用装置については、ボーリングの為の装置を省くことが出来、地表から直接地下空気を吸引する装置がある（例えば、特許文献１参照）。
【０００３】
【特許文献１】
特開２００３−１０６９５９号公報（第２頁〜第４頁、第１図、第２図）
【０００４】
【考案が解決しようとする課題】
特許文献１の装置を地表に設置して地下空気を吸引する際に、地層が雨水や地下水などで飽和された状態である場合には、地下空気と共に泥水（水や泥の比率は地層の状態による）が、装置内地表に噴出してくる。このように噴出する泥水には、地層から溶出した地下の汚染物質が含まれる可能性が高いが、特許文献１の装置においては、装置内部の減圧状態を解除すると噴出した泥水は地中に再浸透して戻ってしまうことから、揮発性汚染物質以外は調査が困難であるという問題があった。
【０００５】
したがって本考案は、以上のような問題に鑑みてなされたものであり、特許文献１に記載の地下空気調査装置を更に発展させ、地下空気中の揮発性汚染物質のみならず、その他の汚染物質についても気液分離装置などの特別な装置を必要とせずに調査可能な地下（表層地質：表層地層：表層土壌）汚染調査装置を提供することを目的とする。
【０００６】
【課題を解決するための手段】
上記の目的を達成するため、請求項１に記載の考案による地下汚染調査装置は、地表を覆うように地表面上に設置され、地表面上に外部の気圧より低圧の閉鎖空間を形成してこの閉鎖空間内に地中の気体と泥水を噴出させる気体採取容器と；この気体採取容器内に設けられ前記閉鎖空間に噴出し内部に流入した泥水を貯える泥水採取容器とを備えることを特徴とする。
【０００７】
請求項２に記載の考案による地下汚染調査装置は、地表を覆うように地表面上に設置され、地表面上に外部の気圧より低圧の閉鎖空間を形成してこの閉鎖空間内に地中の気体と泥水を噴出させる気体採取容器と；この気体採取容器内に設けられ前記閉鎖空間に噴出し内部に流入した泥水を貯える泥水採取容器とを備え；気体採取容器の内部と外部とを連通し気体採取容器外部側の減圧手段に連結される排気孔が形成されて、外気との圧力差が維持されていることを特徴とする。
【０００８】
請求項３に記載の考案による地下汚染調査装置は、地表を覆うように地表面上に設置され、地表面上に外部の気圧より低圧の閉鎖空間を形成してこの閉鎖空間内に地中の気体と泥水を噴出させる気体採取容器と；この気体採取容器内に設けられ前記閉鎖空間に噴出し内部に流入した泥水を貯える泥水採取容器とを備え；気体採取容器内に噴出した地中の気体を吸引して採取するガス吸引管が挿通可能なチューブ挿通管が気体採取容器の内部と外部とを貫通して設けられていることを特徴とする。
【０００９】
請求項４に記載の考案による地下汚染調査装置は、地表を覆うように地表面上に設置され、地表面上に外部の気圧より低圧の閉鎖空間を形成してこの閉鎖空間内に地中の気体と泥水を噴出させる気体採取容器と；この気体採取容器内に設けられ前記閉鎖空間に噴出し内部に流入した泥水を貯える泥水採取容器とを備え；気体採取容器の内部への外気の流入を防止するシール手段が気体採取容器に設けられていることを特徴とする。
【００１０】
請求項５に記載の考案による地下汚染調査装置は、地表を覆うように地表面上に設置され、地表面上に外部の気圧より低圧の閉鎖空間を形成してこの閉鎖空間内に地中の気体と泥水を噴出させる気体採取容器と；この気体採取容器内に設けられ前記閉鎖空間に噴出し内部に流入した泥水を貯える泥水採取容器とを備え；気体採取容器の内部への外気の流入を防止するシール手段が気体採取容器に設けられ；このシール手段は、気体採取容器の開口部側の外周縁に取付けられた環状の弾性材であることを特徴とする。
【００１１】
請求項６に記載の考案による地下汚染調査装置は、地表を覆うように地表面上に設置され、地表面上に外部の気圧より低圧の閉鎖空間を形成してこの閉鎖空間内に地中の気体と泥水を噴出させる気体採取容器と；この気体採取容器内に設けられ前記閉鎖空間に噴出し内部に流入した泥水を貯える泥水採取容器とを備え；気体採取容器の内部への外気の流入を防止するシール手段が気体採取容器に設けられ；シール手段は、気体採取容器の開口部側から地中に押しつけられた筒状のシール筒体であることを特徴とする。
【００１２】
請求項７に記載の考案による地下汚染調査装置は、地表を覆うように地表面上に設置され、地表面上に外部の気圧より低圧の閉鎖空間を形成してこの閉鎖空間内に地中の気体と泥水を噴出させる気体採取容器と；この気体採取容器内に設けられ前記閉鎖空間に噴出し内部に流入した泥水を貯える泥水採取容器とを備え；気体採取容器は、開口部を有し外気との圧力差を維持する外側容器と、この外側容器の内側に配置される内側容器と、前記気体採取容器の内部への外気の流入を防止するシール手段とを含んで成り；気体採取容器内に噴出した地中の気体を吸引して採取するガス吸引管が挿通されるチューブ挿通管の先端部分が内側容器の内部に開口していることを特徴とする。
【００１３】
請求項８に記載の考案による地下汚染調査装置は、地表を覆うように地表面上に設置され、地表面上に外部の気圧より低圧の閉鎖空間を形成してこの閉鎖空間内に地中の気体と泥水を噴出させる気体採取容器と；この気体採取容器内に設けられ前記閉鎖空間に噴出し内部に流入した泥水を貯える泥水採取容器と；気体採取容器周囲の地表面に散液する散液手段とを備え；気体採取容器は、開口部を有し外気との圧力差を維持する外側容器と、この外側容器の内側に配置される内側容器と、気体採取容器の内部への外気の流入を防止するシール手段とを含んで成り；気体採取容器内に噴出した地中の気体を吸引して採取するガス吸引管が挿通されるチューブ挿通管の先端部分が前記内側容器の内部に開口していることを特徴とする。
【００１４】
【考案の実施の形態】
以下、図面を参照して本考案による地下汚染調査装置の実施の形態について詳細に説明する。図１は、本考案の一実施の形態としての地下汚染調査装置が地表面上に設置された状態を示す断面図であり、図２は平面図である。本実施の形態における地下汚染調査装置は、主として気体採取容器１０と、この気体採取容器１０の内部に設けられた泥水採取容器３０を備えている。気体採取容器１０は、地表Ｇの地下汚染調査対象域表面上を覆うように設置され、所定の深さを有する皿状の泥水採取容器３０が気体採取容器１０の内部に設けられている。
【００１５】
気体採取容器１０は、円板状の天板部１１と、天板部１１の周縁から円筒状に延びる側壁部１２と、側壁部１２の外周面における開口部１３側端部から径方向外側に向かいフランジ状に延びるフランジ部１４とを含んで成る外側容器１５を有している。側壁部１２の上端部付近、すなわち天板部１１に近接する側壁部１２には、側壁部１２の内周面と外周面とを貫通するように、すなわち気体採取容器１０の内部と外部とを連通する排気孔１６が形成されている。排気孔１６は、気体採取容器１０の外部側に設けられる減圧手段５０に、例えば耐圧ゴムホース、又は耐圧樹脂製ホース、又は自由に屈曲可能な金属製フレキシブルホースなど（図示なし）を介して連結されている。
【００１６】
減圧手段５０としては、例えばアスピレータ、真空ポンプ、ブロアなど、その作動によって排気孔１６から気体採取容器１０内の空気を外部に排出して、地表Ｇを覆うように設置した気体採取容器１０内部の地表面上に、外部の気圧より低圧の閉鎖空間Ｃを形成し、外気との圧力差を維持できるものであれば、如何なる減圧装置であっても良い。このように、外部の気圧より低圧に維持された閉鎖空間Ｃ内には、地中の気体と、泥水が噴出することとなる。閉鎖空間Ｃ内に噴出した泥水は、泥水採取容器３０の内部に流入し貯えられ、減圧手段５０の作動を停止させ閉鎖空間Ｃ内の気圧を外部気圧まで戻して減圧状態を解いた後にも、全て地中に再浸透してしまうことがなく、噴出した泥水中の汚染物質についての調査が可能となる。
【００１７】
なお、本実施の形態において、気体採取容器１０の外側容器１５の概略全体形状を、円板状の天板部１１、円筒状に延びる側壁部１２、及びフランジ部１４とを含んで成るハット（Ｈａｔ：縁付き帽子）状とした例を示したが、このような形状・形態に限定されるものではなく、例えば半球状、半円柱蒲鉾状、多角形柱状など如何なる形状であっても良く、汚染調査対象地形や地表面の状態に適した形状とすることができる。また、排気孔１６を、天板部１１に近接する側壁部１２に設けた例としたが、天板部１１に設けても良く、さらに、外側容器１５が例えば半球状などの場合であっても、気体採取容器１０の閉鎖空間Ｃ内に噴出する泥水が直接流入することがなく、後述するチューブ挿通管の開口位置に近接することのない外側容器１５の上部位置であれば、いずれの位置に設けても良い。
【００１８】
気体採取容器１０には、外側容器１５の側壁部１２の天板部１１に近い上方位置における、排気孔１６が設けられた側壁部１２外周位置から離れた側壁部１２の外部と内部を貫通して、チューブ挿通管１７が設けられている。チューブ挿通管１７は、天板部１１の中央位置付近の気体採取容器１０内部に開口しており、閉鎖空間Ｃに噴出した地中の気体を吸引して採取するガス吸引管（図示なし）が挿通可能となっている。これにより、特別な気液分離装置を用いることなく表層地質中（地下空気中）の揮発性汚染物質の調査が可能となる。なお、減圧手段５０を作動させながら前記ガス吸引管に地下空気を吸引する際には、減圧手段５０の吸引圧力（空気排出圧力）より強力な吸引圧力で吸引することが望ましい。ガス吸引管を挿通せず地中空気を吸引・採取していない際には、チューブ挿通管１７の外側容器１５外部側への開口部分には、めくら栓などを装着し閉鎖しておけば良く、閉鎖空間Ｃ内を外部の気圧より低圧に維持できる。
【００１９】
本実施の形態において、気体採取容器１０にはシール手段２０が地表面に当接するように設けられている。これにより、地表Ｇの表面が凹凸の多い場合や、地中の岩石が突出した状態で露出するような場合などにおいても、気体採取容器１０の内部への外気の流入を防止できる点でより好ましい。ここで、シール手段２０は、気体採取容器１０の開口部１３側の外周縁、即ちフランジ部１４の底面に取付けられた環状の弾性材の例を示したが、弾性材の替りに、地中に押込めることが可能な、例えば筒状金属製のシール筒体をフランジ部１４の底面から突出するように取付けることもできる。地表Ｇの状態に応じて適宜選択して設けることが可能であり、また、環状の弾性材とシール筒体を併せて設けても良い。減圧手段５０として特に高性能な減圧装置を使用することなく、閉鎖空間Ｃ内を外部の気圧より低圧に維持できる点で、より好ましい。なお、弾性材の材料としても、特に限定されるものではなく、軟質又は硬質の天然又は合成のゴムや樹脂など如何なる弾性材料をも使用することができ、地表Ｇの状態や調査対象汚染物質の性質などに応じて適宜選定すれば良い。
【００２０】
また、気体採取容器１０は、外側容器１５の内側、本実施の形態では天板部１１の中央位置から下方、即ち地表面側に向けて筒状に延びる内側容器１８が配置されている。チューブ挿通管１７が内側容器１８の筒状部分を貫通し、チューブ挿通管１７の先端部分が内側容器１８の内部に開口している。これにより、チューブ挿通管１７にガス吸引管を挿通して閉鎖空間Ｃ内に噴出した地下空気を吸引・採取する際に、排気孔１６からの減圧手段５０の空気排出の影響を低減できる点で、より好ましい。さらに、内側容器１８の筒状部分のチューブ挿通管１７が貫通する部分は、チューブ挿通管の外径より大径の貫通孔１９が設けられている。この貫通孔１９の構成により、閉鎖空間Ｃ内に噴出する泥水が多量となり内側容器１８の下方側開口端を超えた場合にも、泥水がガス吸引管に侵入することを防ぎながら地下空気を吸引採取可能である点で、より好ましい。
【００２１】
本実施の形態の地下汚染調査装置には、気体採取容器１０周囲の地表面に液体を散液する散液手段（図示なし）をさらに備えることもできる。散液手段としては、例えば散液する液体が貯えられ送液ポンプなどの送液手段を有する液槽と、この液槽からホースなどによって連結される例えばシャワーヘッドのような散液部から構成すれば良く、気体採取容器１０周囲の地表面に必要量の液体を散布することができれば、どのような形態の散液装置であっても適用できる。散液手段を構成する各部分に使用する材質としては、散液する液体に対して耐性を有するものであれば如何なる材質であっても良い。散液する液体としては、通常、水（清水）が用いられるが、例えば、塩酸、酢酸等の無機酸や有機酸を水で稀釈した希酸水溶液、アンモニア水などを水で稀釈した希アルカリ水溶液、エチルアルコールやイソプロピルアルコールなどの有機溶媒を含有する水溶液、及び有機溶媒と希酸水溶液又は希アルカリ水溶液との混合水溶液等、調査対象の汚染物質を溶解、溶出可能で、調査領域の環境に悪影響を及ぼすことがない濃度の各種水溶液からなる液体が使用可能である。
【００２２】
なお、本実施の形態の地下汚染調査装置により、気体採取容器１０の閉鎖空間Ｃに噴出する地下空気や泥水の量は、調査対象の表層地質が雨水などで飽和されている場合には、より多量となり、また、閉鎖空間Ｃ内に流入する外気の量が低減される。上記散液手段を設けて散液することにより、調査対象表層地質を常に飽和させた状態で地下汚染調査が可能となる点でより好ましい。さらに、気体採取容器１０の周囲地表Ｇに、液面センサ（図示なし）などを設置し、例えば、液面センサの感知結果が入力され、前記散液手段の散液量、散液速度などをコントロールするコンピュータコントロールユニットを備えて、気体採取容器１０周囲の表層地層を過飽和状態にコントロールしても良い。
【００２３】
本実施の形態においては、泥水採取容器３０として皿状のものとした例を示したが、閉鎖空間Ｃ内に噴出した泥水が内部に流入し、流入した泥水を貯えることが可能であれば如何なる形状であっても良い。例えば、灰皿状、すなわち、上方開口部分からフランジ状に拡径して側壁部１２の内周面にフランジ状外縁が近接し、フランジ状部分には外縁部分から前記開口部分に向かう放射状に複数の流入溝が形成された形態としても良く、さらに、例えば、側壁部１２に近接するフランジ状外縁から地表面に向かい、側壁部１２の内面に沿って所定長さ垂れ下がるように延長部分を設けても良い。このような形態の泥水採取容器３０は、閉鎖空間内Ｃ内に噴出する泥水の量が少ない場合であっても、毛細管現象を利用して泥水が流入され、効率よく泥水を採取可能である点でより好ましい。
【００２４】
【考案の効果】
以上説明したように、本考案の地下汚染調査装置によれば、地下空気中の揮発性汚染物質のみならず、その他の汚染物質についても気液分離装置などの特別な装置を必要とせずに調査可能である。
【図面の簡単な説明】
【図１】本考案における一実施の形態としての地下汚染調査装置が地表に設置された状態を示す断面図である。
【図２】同、平面図である。
【符号の説明】
１０　　気体採取容器
１５　　外部容器
１６　　排気孔
１７　　チューブ挿通管
１８　　内側容器
２０　　シール手段
３０　　泥水採取容器
５０　　減圧手段
【図１】
0003098956.tif 000003
【図２】
0003098956.tif 000004